(57)【要約】      （修正有）【課題】傷めることなく結束できる農産物の結束装置を提供する。【解決手段】縦方向に延びる部分を有する複数の農産物１に対して略直交する横方向から繰り出し可能に設けられ、一方の面に粘着面を有する粘着テープ２１，３１により複数の農産物を結束する構成とし、粘着テープの非粘着面側を下方から支持する粘着テープ支持部４と、所定位置に位置している複数の農産物と粘着テープ支持部とを相対的に上下動させる昇降機構６と、粘着テープ支持部のうち、複数の農産物を結束する位置で粘着テープを支持している粘着テープ支持部を、昇降機構による第１の上下動により粘着テープを支持しないように粘着テープ支持部に開口４Ａが形成される開放状態に切り替え、かつ、切り替えた状態において昇降機構による第２の上下動により複数の農産物と当接することにより粘着テープが開口４Ａを通して下方へ繰り出されて複数の農産物の周囲に巻き付ける巻付機構７を備える。【選択図】図２
2019059517.tif 000002
【特許請求の範囲】
【請求項１】
縦方向に延びる部分を有する複数の農産物に対して略直交する横方向から繰り出し可能に設けられ、一方の面に粘着面を有する粘着テープにより複数の農産物を結束する農産物の結束装置であって、
繰り出される前記粘着テープの非粘着面側を下方から支持する粘着テープ支持部と、
所定位置に位置している複数の農産物と前記粘着テープ支持部とを相対的に上下動させる昇降機構と、
前記粘着テープ支持部のうち、複数の農産物を結束する位置で前記粘着テープを支持している該粘着テープ支持部を、前記昇降機構による第１の上下動により該粘着テープを支持しないように該粘着テープ支持部に開口が形成される開放状態に切り替え、かつ、切り替えた状態において前記昇降機構による第２の上下動により複数の農産物と当接することにより前記粘着テープが前記開口を通して下方へ繰り出されて該粘着テープを複数の農産物の周囲に巻き付ける巻付機構と、を備えていることを特徴とする農産物の結束装置。
【請求項２】
農産物が、葉身部及び葉柄部を有する葉状農産物であり、積み重ねた複数の葉状農産物の葉柄部を前記第２の上下動に先立って拘束する拘束手段を備え、該拘束手段で複数の葉柄部を拘束した状態で該複数の葉柄部に前記粘着テープを前記巻付機構により巻付けることを特徴とする請求項１に記載の農産物の結束装置。
【請求項３】
前記粘着テープ支持部が、横方向において接近及び離間可能に構成され、かつ、接近側に移動付勢される１組の支持部材から構成され、前記巻付機構が、前記昇降機構による第１の上下動に伴い接近側に移動付勢されている前記１組の支持部材を離間させて前記支持しない開放状態に切り替えるカム機構を備えていることを特徴とする請求項１又は２に記載の農産物の結束装置。
【請求項４】
前記粘着テープが左右方向両側から複数の農産物に対して繰り出されるように構成され、左右方向両側から繰り出された粘着テープの先端部同士が複数の農産物を結束する位置で結合されていることを特徴とする請求項１〜３のうちのいずれか１項に記載の農産物の結束装置。
【発明の詳細な説明】
【技術分野】
【０００１】
本発明は、複数の農産物に対して略直交する横方向から繰り出し可能に設けられた粘着テープにより複数の農産物を結束する農産物の結束装置に関する。
【背景技術】
【０００２】
従来から、農産物としてのネギの複数を、テープを用いて結束する結束装置が提案されている。この結束装置は、複数のネギの長手方向２箇所を結束する１組の束ね器から構成されている。各束ね器は、粘着テープに巻き戻し抵抗を付与するブレーキ手段を備える粘着テープ取付具と、粘着テープ取付具からのテープを案内するとともにネギを載置する載置台と、案内された粘着テープを切断し、切断した粘着テープの端部を保持する粘着テープ切断保持具と、該粘着テープの端部を折り返して複数のネギに巻き付けるための粘着テープ折り返し具とから構成されている（特許文献１）。
【０００３】
前記特許文献１の結束装置では、巻き戻し抵抗を付与するブレーキ手段により粘着テープに弛みがない状態で、粘着テープ切断保持具で切断した粘着テープの端部を粘着テープ折り返し具により折り返しながら、複数のネギに巻き付けて結束する。この構成では、巻き戻し抵抗が付与される粘着テープに引っ張り力が作用しているため、粘着テープをネギに巻き付ける際に、ネギに大きな巻付力が作用してネギを傷めてしまうことがあった。
【先行技術文献】
【特許文献】
【０００４】
【特許文献１】特開平５−２９４３１３号公報
【発明の概要】
【発明が解決しようとする課題】
【０００５】
そこで本発明は、農産物を傷めることなく結束することができる農産物の結束装置を提供することを課題とする。
【課題を解決するための手段】
【０００６】
本発明の農産物の結束装置は、縦方向に延びる部分を有する複数の農産物に対して略直交する横方向から繰り出し可能に設けられ、一方の面に粘着面を有する粘着テープにより複数の農産物を結束する農産物の結束装置であって、繰り出される前記粘着テープの非粘着面側を下方から支持する粘着テープ支持部と、所定位置に位置している複数の農産物と前記粘着テープ支持部とを相対的に上下動させる昇降機構と、前記粘着テープ支持部のうち、複数の農産物を結束する位置で前記粘着テープを支持している該粘着テープ支持部を、前記昇降機構による第１の上下動により該粘着テープを支持しないように該粘着テープ支持部に開口が形成される開放状態に切り替え、かつ、切り替えた状態において前記昇降機構による第２の上下動により複数の農産物と当接することにより前記粘着テープが前記開口を通して下方へ繰り出されて該粘着テープを複数の農産物の周囲に巻き付ける巻付機構と、を備えていることを特徴としている。
【０００７】
本発明によれば、複数の農産物を結束する場合には、まず昇降機構による第１の上下動により粘着テープを支持しないように開口が形成される開放状態に切り替える。続いて、開放状態に切り替えた状態において昇降機構による第２の上下動により複数の農産物と粘着テープとが当接し、粘着テープが開口を通して下方へ繰り出されて、粘着テープを複数の農産物の周囲に巻き付けることができる。この巻き付け時には、農産物に対して粘着テープを巻き付けるように繰り出されるだけなので、農産物を傷めることがない。
【０００８】
また、本発明の農産物の結束装置は、農産物が、葉身部及び葉柄部を有する葉状農産物であり、積み重ねた複数の葉状農産物の葉柄部を前記第２の上下動に先立って拘束する拘束手段を備え、該拘束手段で複数の葉柄部を拘束した状態で該複数の葉柄部に前記粘着テープを前記巻付機構により巻付けてもよい。
【０００９】
上記のように、拘束手段で複数の葉柄部を拘束することによって、昇降機構による第２の上下動により複数の葉柄部と粘着テープとが当接したときに、粘着テープを開口を通して下方へ確実に繰り出すことができる。
【００１０】
また、本発明の農産物の結束装置は、前記粘着テープ支持部が、横方向において接近及び離間可能に構成され、かつ、接近側に移動付勢される１組の支持部材から構成され、前記巻付機構が、前記昇降機構による第１の上下動に伴い接近側に移動付勢されている前記１組の支持部材を離間させて前記支持しない開放状態に切り替えるカム機構を備えていてもよい。
【００１１】
上記のように、カム機構により接近側に移動付勢されている１組の支持部材を離間させて支持しない開放状態に切り替えることができるので、１組の支持部材を離間させるための別の駆動機構が不要になり、結束装置の簡素化を図ることができる。
【００１２】
また、本発明の農産物の結束装置は、前記粘着テープが左右方向両側から複数の農産物に対して繰り出されるように構成され、左右方向両側から繰り出された粘着テープの先端部同士が複数の農産物を結束する位置で結合されていてもよい。
【００１３】
上記のように、粘着テープが左右方向両側から複数の農産物に対して繰り出され、繰り出された粘着テープの先端部同士が結合されていることによって、一方側から粘着テープを繰り出す構成の場合のように繰り出した粘着テープの先端を押える機構を設けることが不要になり、構成を簡素にすることができる。
【発明の効果】
【００１４】
本発明によれば、複数の農産物と当接することにより粘着テープが開口を通して下方へ繰り出されて粘着テープを複数の農産物の周囲に巻き付けることによって、農産物を傷めることなく結束することができる農産物の結束装置を提供することができる。
【図面の簡単な説明】
【００１５】
【図１】本発明の農産物の結束装置の正面図であり、粘着テープを左右方向両側から中央に繰り出し、繰り出した粘着テープの先端部同士を貼り合わせた状態を示している。
【図２】同結束装置の正面図であり、粘着テープ支持部を所定の下降位置まで下降させた状態を示している。
【図３】同結束装置の側面図である。
【図４】同結束装置の側面図であり、積み重ねた大葉の葉柄部に拘束手段を初期位置から結束位置まで移動させた状態を示している。
【図５】同結束装置に備える拘束手段の正面図を示し、（ａ）は大葉の葉柄部を拘束する直前の状態を示し、（ｂ）は大葉の葉柄部を拘束した状態を示している。
【図６】同結束装置の正面図であり、粘着テープを大葉の葉柄部に巻き付けて結束が完了した状態を示している。
【図７】同結束装置の側面図であり、粘着テープを大葉の葉柄部に巻き付けて結束が完了した状態を示している。
【図８】同結束装置に備えるカッターの側面図を示し、（ａ）はソレノイドによりカッターを切断動作させた状態を示し、（ｂ）はカッターを切断動作する直前の状態を示している。
【図９】同結束装置の側面図であり、結束した粘着テープを切断した状態を示している。
【図１０】同結束装置の側面図であり、拘束手段を結束位置から初期位置まで移動させた状態を示している。
【発明を実施するための形態】
【００１６】
本発明に係る農産物の結束装置の一実施形態を、図面に基づいて説明を行う。なお、ここでは、農産物として、図２及び図３に示す葉身部１Ａ及び葉柄部１Ｂを有する大葉１（葉状農産物という）を挙げて説明する。
【００１７】
図１〜図３に示すように、複数の大葉１に対して略直交する左右方向（横方向）両側から粘着テープ２１，３１を繰り出し可能に巻回されている２つのテープロール２，３と、該テープロール２，３から繰り出される粘着テープ２１，３１の非粘着面側を下方から支持する粘着テープ支持部４と、所定位置に位置している複数の大葉を載置する大葉固定台５と、大葉固定台５に対して粘着テープ支持部４を上下動させる昇降機構６と、粘着テープ支持部４のうち、複数の大葉を結束する位置で粘着テープ２１，３１を支持している粘着テープ支持部４を、昇降機構６による第１の上下動により粘着テープ２１，３１を支持しないように粘着テープ支持部４に開口４Ａ（図２参照）が形成される開放状態に切り替え、かつ、切り替えた状態において昇降機構６による第２の上下動により複数の大葉と当接することにより粘着テープ２１，３１が開口４Ａを通して下方へ繰り出されて粘着テープ２１，３１を複数の農産物の周囲に巻き付ける巻付機構７と、積み重ねた複数の大葉１の葉柄部１Ｂを第２の上下動に先立って拘束する拘束手段８（図３参照）と、を備えている。
【００１８】
テープロール２，３のそれぞれは、粘着テープ２１，３１を巻き付けて構成されている。また、テープロール２，３から繰り出される粘着テープ２１，３１の上面は、粘着面を備え、該粘着テープ２１，３１の下面は、非粘着面になっている。また、左右方向両側から繰り出された粘着テープ２１，３１の先端部同士が、複数の大葉１の葉柄部１Ｂを結束する位置で粘着面同士の当接により結合されている。このように、２つの粘着テープ２１，３１が左右方向両側から左右方向中央に繰り出され、繰り出された粘着テープ２１，３１の先端部同士が結合されることによって、一方側から粘着テープを繰り出す構成の場合のように繰り出した粘着テープの先端を押える機構を設けることが不要になり、構成を簡素にすることができる。尚、前記粘着テープ２１，３１の先端部同士が、後述する回転ローラ４１３，４１３に挟み込まれて保持されている（図１参照）。
【００１９】
粘着テープ支持部４が、左右方向（横方向）において接近及び離間可能に構成され、かつ、接近側にコイルバネ９，９（ゴム等の弾性体でもよい）により移動付勢される１組の支持部材４１，４１から構成されている。各支持部材４１は、左右方向両端に配置された角型の固定部材４１１と、固定部材４１１に形成の貫通孔（図示せず）に移動可能に挿入される棒状体４１２と、棒状体４１２の固定部材４１１から離間する側の端部に取り付けられた回転ローラ４１３と、を備えている。棒状体４１２，４１２にコイルバネ９，９が外装されることによって、一対の回転ローラ４１３，４１３が互いに当接する左右方向中央側に移動付勢されている。また、固定部材４１１，４１１の下端のそれぞれには、下方に延びる下側部材４１４が取り付けられ、これら下側部材４１４，４１４の下端同士が水平姿勢の連結部材４１５により連結され、これら５つの部材４１１，４１１，４１４，４１４，４１５により上方が開放された略Ｕ字状の枠部材Ｗを構成している。この枠部材Ｗは、図示しないガイド部材により上下動自在に支持されている。また、枠部材Ｗの連結部材４１５の下端にボールネジ機構から構成される第１直動アクチュエータ１０に備えるネジ軸１０Ａの先端が連結されており、ネジ軸１０Ａを上下動させることにより枠部材Ｗ及び粘着テープ支持部４を上下動させることができるように構成されている。この第１直動アクチュエータ１０が、粘着テープ支持部４を上下動させる昇降機構６を構成している。
【００２０】
大葉固定台５は、水平な板状部材から構成され、所定位置に固定されている。大葉固定台５の前端に、大葉固定台５に載置される複数（１０枚であるが、図では８枚にしている）の大葉１の葉柄部１Ｂを集めるための左右一対のガイド部材５Ａ，５Ａ（図５（ａ）参照）を備えている。ガイド部材５Ａ，５Ａは、大葉１の葉柄部１Ｂを左右中央部に案内すべく、下方側ほど中央に位置する傾斜案内面５ａ，５ａを有する直角三角形状の板状に構成されている。
【００２１】
巻付機構７は、図１及び図２に示すように、第１直動アクチュエータ１０による第１の上下動に伴い接近側に移動付勢されている１組の支持部材４１，４１を離間させて支持しない開放状態に切り替えるカム機構１１を備えている。このカム機構１１は、前記２つの回転ローラ４１３，４１３が取り付けられた棒状体４１２，４１２から下方に延びる延出部材４１６，４１６の下方に取り付けられ、所定間隔をおいて配置される当接用回転ローラ１１１，１１１と、これら当接用回転ローラ１１１，１１１が当接して、当接用回転ローラ１１１，１１１を離間する方向に前記コイルバネ９，９の付勢力に抗して移動させる当接部材１１２と、を備えている。当接部材１１２は、先端側ほど先細りに形成された先端部１１２Ａと、先端部１１２Ａにより当接用回転ローラ１１１，１１１を離間する方向に移動させてからその離間状態を所定時間（大葉１の葉柄部１Ｂの周囲に粘着テープ２１，３１を巻き付けることができる時間）だけ維持するよう、同一幅に構成された本体部１１２Ｂと、を備えている。このように、カム機構１１により接近側に移動付勢されている１組の支持部材４１，４１を離間させて支持しない開放状態に切り替えることができるので、１組の支持部材４１，４１を離間させるための別の駆動機構が不要になり、結束装置の簡素化を図ることができる。
【００２２】
拘束手段８は、図３及び図５（ａ），（ｂ）に示すように、前後方向の軸１２を介して開閉揺動自在に取り付けられ、かつ、図示していないバネ（弾性材でもよい）により開放側に付勢されている一対の拘束部材８１，８１と、一対の拘束部材８１，８１を閉じ側に操作する拘束用ソレノイド８２と、を備えている。拘束用ソレノイド８２は、コア部材を収容するハウジング８２Ａと、通電により電磁吸着作用を発揮して上方へ突出操作されるプランジャー８２Ｂと、を備えている。従って、拘束用ソレノイド８２の非通電状態では、バネの付勢力により一対の拘束部材８１，８１が開放側に付勢され、拘束用ソレノイド８２の通電状態では、プランジャー８２Ｂが上方に突出して拘束部材８１，８１をバネの付勢力に抗して閉じ側に操作して複数の大葉１の葉柄部１Ｂを拘束する。尚、プランジャー８２Ｂの先端には、一対の拘束部材８１，８１を閉じ側に操作するための当接部材８３が取り付けられている。また、拘束用ソレノイド８２は、前記枠部材Ｗの連結部材４１５に固定された縦板部材４１７の側面に取り付けられ、また、前記軸１２が縦板部材４１７の上部に貫通した状態で取り付けられている。
【００２３】
また、図３に示すように、枠部材Ｗの連結部材４１５の後端に、下方に延びるスカート部４１８が取り付けられている。このスカート部４１８にボールネジ機構から構成される第２直動アクチュエータ１３に備えるネジ軸１３Ａの先端が連結され、ネジ軸１３Ａの前後移動によりスカート部４１８を含む枠部材Ｗを前後方向に移動させることができる。この第２直動アクチュエータ１３により、前記拘束手段８で拘束する場合に、拘束手段８を複数の大葉１の葉柄部１Ｂを拘束可能な位置まで移動させることができる。また、拘束後の不要な時は、拘束手段８を拘束位置から待機位置まで移動させることができる。
【００２４】
また、図３及び図８（ａ），（ｂ）に示すように、大葉１の葉柄部１Ｂに巻き付けられて閉じられた部分の粘着テープ２１，３１の上側部分を切り離して次の結束作業が行えるように、該粘着テープ２１，３１の上側部分を切断する切断手段１４を備えている。この切断手段１４は、粘着テープ２１，３１を切断するカッター１４Ａと、カッター１４Ａを待機位置から突出させて粘着テープ２１，３１を切断する切断位置へ移動させるカッター駆動用ソレノイド１４Ｂと、を備えている。カッター駆動用ソレノイド１４Ｂは、前記縦板部材４１７の上端に前方に延びるように連結された水平板部材４１９上に取り付けられ、カッター駆動用ソレノイド１４Ｂのプランジャー１４ｂの先端にカッター１４Ａが取り付けられている。
【００２５】
上記のように構成された結束装置により複数枚の大葉１の葉柄部１Ｂを結束する手順について説明する。まず、図１に示すように、左右のテープロール２，３から粘着テープ２１，３１をそれぞれ繰り出して粘着テープ２１，３１の先端部同士を複数の大葉を結束する位置で粘着面同士を当接させることにより結合させ、結合させた先端部を回転ローラ４１３，４１３間に挟み込んだ状態で保持している。この作業は、人為的に行ってもよいし、ロボットアームを用いて自動的に行ってもよい。この状態から第１直動アクチュエータ１０の作動によりネジ軸１０Ａを下方へ移動させることで１組の支持部材４１，４１を下降させる（第１の上下動）。これにより、図２に示すように、カム機構１１が１組の支持部材４１，４１を離間させて支持しない開放状態に切り替える。この状態になると、ロボットハンド等を用いて大葉を所定枚数になるまで大葉固定台５に１枚ずつ積み重ねる（又は所定枚数積み重ねた大葉１をロボットハンド等を用いて大葉固定台５に移動して載置する）。
【００２６】
図２及び図３に示す大葉１を載置した後は、図４に示すように、第２直動アクチュエータ１３の作動により拘束手段８を拘束位置まで移動させる。この移動後に拘束用ソレノイド８２への通電により一対の拘束部材８１，８１を閉じて大葉１の葉柄部１Ｂを拘束する（図５（ｂ）参照）。この状態から第１直動アクチュエータ１０の作動によりネジ軸１０Ａを前記とは反対の上方へ移動させることで１組の支持部材４１，４１を上昇させる（第２の上下動）。これにより、拘束された大葉１の葉柄部１Ｂに粘着テープ２１，３１の先端部に当接し、粘着テープ２１，３１が開口４Ａを通して下方へ繰り出されて、粘着テープ２１，３１を大葉１の葉柄部１Ｂの周囲に巻き付ける。粘着テープ２１，３１の巻き付けが終了した時点から当接部材１１２の先端部が徐々に当接用回転ローラ１１１，１１１から外れることによって、一対の回転ローラ４１３，４１３が閉じる。これにより粘着テープ２１，３１の粘着面同士が当接して閉じられた状態になる（図６及び図７参照）。
【００２７】
結束後は、拘束用ソレノイド８２への通電を解除して拘束部材８１，８１による大葉１の葉柄部１Ｂの拘束を解除する。この後、図８及び図９に示すように、カッター用ソレノイド１４Ｂを作動させてカッター１４Ａを突出して粘着面同士が当接して閉じられた部分における粘着テープ２１，３１の上側部分を切断することによって、大葉１の葉柄部１Ｂを粘着テープ２１，３１で結束した状態を保ちつつ、結束した粘着テープ２１，３１からテープロール側の粘着テープ２１，３１を切り離すことができる。切断後は、第２直動アクチュエータ１３を作動させて拘束手段８を拘束位置から待機位置（図１０参照）へ移動させて結束作業を終了する。結束が終了した後は、結束された大葉１を大葉固定台５から人為的又はロボットハンドにより移動させて次の結束作業が行えるよう待機する。
【００２８】
前記のように、カッター１４Ａにより粘着テープ２１，３１を切断した後は、一対の回転ローラ４１３，４１３により粘着テープ２１，３１の先端部同士を接着した状態で挟んでいるため、次回の結束作業時において粘着テープ２１，３１を繰り出して先端部同士を接着する等の作業を不要にすることができ、結束作業を連続して行うことができ、作業時間の短縮を図ることができる。
【００２９】
尚、本発明に係る農産物の結束装置は、上記実施形態に限定されるものではなく、本発明の要旨を逸脱しない範囲で種々の変更が可能である。
【００３０】
前記実施形態では、縦方向に延びる葉柄部１Ｂを有する大葉１を結束する結束装置を説明したが、バラ、菊、ネギ等、棒状（茎状又は枝状）の部分を有する農産物を結束する結束装置であってもよい。
【００３１】
また、前記実施形態では、直動アクチュエータとして、ボールネジ機構を示したが、リニアモータ、油圧シリンダ、エアシリンダ等であってもよい。
【００３２】
また、前記実施形態では、粘着テープ支持部４を一旦下降させることによって開放状態に切り替え、この切り替えた状態で、粘着テープ支持部４を上昇させることによって、開口４Ａを通して繰り出された粘着テープを農産物に巻き付けるように構成したが、粘着テープ支持部４を上昇させることによって開放状態に切り替え、この切り替えた状態で、粘着テープ支持部４を更に上昇させることによって、開口４Ａを通して繰り出された粘着テープを農産物に巻き付けるようにしてもよい。実施形態のように粘着テープ支持部４を一旦下降させて上昇させる構成にすることによって、２段階に粘着テープ支持部４を上昇させる構成に比べて、結束装置の上下方向の小型化を図ることができる。
【００３３】
また、前記実施形態では、粘着テープを左右方向両側から繰り出す構成としたが、粘着テープを左右方向一方側から繰り出す構成としてもよい。この場合、繰り出した粘着テープの先端を押えておく機構を設けることになる。
【００３４】
また、前記実施形態では、粘着テープ支持部４が、横方向において接近及び離間可能に構成され、かつ、接近側に移動付勢される１組の支持部材４１，４１から構成されているが、粘着テープ支持部４が、移動不能に固定され、大葉１の葉柄部１Ｂの結束位置に対応する部分に開口が形成された固定支持部と、前記開口を閉じ状態にする又は開放状態にすべく、水平軸芯回りで少なくとも９０°を越える角度まで回動させて開口を開放状態にするための開閉自在な可動蓋部と、を備えた構成であってもよい。前記９０°を越える角度とは、粘着テープが開放されて形成される開口を通して大葉１の葉柄部１Ｂの周囲に支障なく巻き付けることができる角度である。
【００３５】
また、前記実施形態では、大葉１の葉柄部１Ｂを拘束する拘束手段８を備えたが、省略してもよい。
【００３６】
また、前記実施形態では、拘束手段８を大葉１の葉柄部１Ｂを拘束できる拘束位置と大葉１の葉柄部１Ｂから遠ざかる待機位置とに移動可能に構成したが、拘束手段８を大葉１の葉柄部１Ｂを拘束できる拘束位置に固定された状態で備えていてもよい。この場合、粘着テープ支持部４を２段階で上昇させて粘着テープ２１,３１を農産物に巻き付ける構成にすることによって、拘束手段８を大葉１の葉柄部１Ｂを拘束できる拘束位置に固定された状態でも、拘束手段８が邪魔になって結束作業に支障を来すことを回避することができる。
【００３７】
また、前記実施形態では、カム機構１１を用いて１組の支持部材４１，４１を離間させる構成としたが、アクチュエータを用いて１組の支持部材４１，４１を離間させる構成であってもよい。
【００３８】
また、前記実施形態では、粘着テープ支持部４を農産物（実施形態では大葉固定台５）に対して上下動させたが、農産物を粘着テープ支持部４に対して上下動させてもよいし、農産物及び粘着テープ支持部４の両者を上下動させてもよい。
【符号の説明】
【００３９】
１…大葉（農産物）、１Ａ…葉身部、１Ｂ…葉柄部、２，３…テープロール、４…粘着テープ支持部、４Ａ…開口、５…大葉固定台、５Ａ…ガイド部材、５ａ…傾斜案内面、６…昇降機構、７…巻付機構、８…拘束手段、９…コイルバネ、１０…第１直動アクチュエータ（昇降機構）、１０Ａ…ネジ軸、１１…カム機構、１２…軸、１３…第２直動アクチュエータ、１３Ａ…ネジ軸、１４…切断手段、１４Ａ…カッター、１４Ｂ…カッター駆動用ソレノイド、１４ｂ…プランジャー、２１，３１…粘着テープ、４１…支持部材、８１…拘束部材、８２…拘束用ソレノイド、８２Ａ…ハウジング、８２Ｂ…プランジャー、８３…当接部材、１１１…当接用回転ローラ、１１２…当接部材、１１２Ａ…先端部、１１２Ｂ…本体部、４１１…固定部材、４１２…棒状体、４１３…回転ローラ、４１４…下側部材、４１５…連結部材、４１６…延出部材、４１７…縦板部材、４１８…スカート部、４１９…水平板部材、Ｗ…枠部材
【図１】
2019059517.tif 000003
【図２】
2019059517.tif 000004
【図３】
2019059517.tif 000005
【図４】
2019059517.tif 000006
【図５】
2019059517.tif 000007
【図６】
2019059517.tif 000008
【図７】
2019059517.tif 000009
【図８】
2019059517.tif 000010
【図９】
2019059517.tif 000011
【図１０】
2019059517.tif 000012